(57)【特許請求の範囲】
【請求項１】
円盤状ブロックと回動ガイド機構により線条材を落下するスパイラル状線条材として放出し下方のキャリヤに巻き取る静止落下型線条材巻取機において、円盤状ブロックの下側に間隔をおき配置して開閉し巻取時はスパイラル状線条材の落下を許容し切断時に新たに放出されるスパイラル状線条材を受け止めて一時的に保留するアキユームレータを設けるとともに、閉位置のアキユームレータ上に受け止められているスパイラル状線条材に向けて回動し線条材を切断する回動式切断装置を設けてなり、前記回動式切断装置が、閉位置の巻取アキユームレータ上に受け止められているスパイラル状線条材に対し外側から内側に回動しかつ線条材を引き寄せて切断刃の間に配置する線条材引寄手段と、線条材引寄手段とともに回動し引き寄せられたスパイラル状線条材の線条材を切断する開閉式切断手段とを具備していることを特徴とする静止落下型線条材巻取機。
【請求項２】
請求項１に記載の静止落下型線条材巻取機において、アキユームレータの下方に配置した計量器と、計量器上にキャリヤを搬出入してセツトする台車とを具備していることを特徴とする静止落下型線条材巻取機。
【発明の詳細な説明】
【０００１】
【発明の属する技術分野】
本発明は、各種の鋼線や合成樹脂線（撚合線を含む）等の線条材を、環状溝付き円盤状ブロックと回動ガイド機構により落下するスパイラル状線条材として下方のキャリヤに巻き取る静止落下型線条材巻取機に関するものである。
【０００２】
【従来の技術】
従来の静止落下型線条材巻取機は、各種の鋼線や合成樹脂線（撚合線を含む）等の線条材の繰込装置や、定置式の環状溝付き円盤状ブロック、円盤状ブロックの近傍に配置した回動ガイド機構（複数のターンロールや押えロール等）等からなり、下方に台車でキャリヤをセツトして、円盤状ブロックの周囲で回動ガイド機構を回動して線条材を繰り込み、円盤状ブロックの環状溝に嵌合させて落下するスパイラル状線条材に形成として、この落下するスパイラル状線条材を下方のキャリヤで受け取つて巻き取り、キャリヤが満巻になるとスパイラル状線条材を適宜の手段により切断し、新たなキャリヤに取り替えセツトして、線条材の巻き取りを再開する構造になつている。
【０００３】
【発明が解決しようとする課題】
従来の静止落下型線条材巻取機は、前記のよう構造になつておりキャリヤが満巻になつて落下するスパイラル状線条材を切断すると、新たに放出されて落下するスパイラル状線条材に対応した極く短時間にキャリヤを切り換えセツトするのが難しく、巻取機の一時停止が必要になつて能率低下の一因となる。自動化、省力化等に限界があるなどの課題がある。
【０００４】
本発明は、前記のような課題を解決するために開発されたものであつて、その目的とする処は、落下するスパイラル状線条材を一時的に貯留するアキュームレータ及び回動式切断装置、又は計量器、キャリヤセツト用台車によつて、線条材の巻取性能、信頼性を向上するとともに自動化、省力化した静止落下型線条材巻取機を提供するにある。
【０００５】
【課題を解決するための手段】
本発明は、円盤状ブロックと回動ガイド機構により線条材を落下するスパイラル状線条材として下方のキャリヤに巻き取る静止落下型線条材巻取機において、円盤状ブロックの下側に間隔をおき配置して開閉し巻取時はスパイラル状線条材の落下を許容し切断時には新たに放出されるスパイラル状線条材を受け止めて一時的に保留するアキユームレータを設けるとともに、閉位置のアキユームレータ上に受け止められているスパイラル状線条材に向けて回動し線条材を切断する回動式切断装置を設けてなり、前記回動式切断装置が、閉位置の巻取アキユームレータ上に受け止められているスパイラル状線条材に対し外側から内側に回動しかつ線条材を引き寄せて切断刃の間に配置する線条材引寄手段と、線条材引寄手段とともに回動し引き寄せられたスパイラル状線条材の線条材を切断する開閉式切断手段とを具備していることを特徴としている。
これによれば、巻取時はアキユームレータを開位置とし円盤状ブロックから放出されて落下するスパイラル状線条材の落下を許容し、キャリヤが満巻になると閉位置に切り変えたアキユームレータで受け止められているスパイラル状線条材に向かつて回動式切断装置が回動して線条材を円滑に切断し、切断後にアキユームレータで継続して送り出される新たなスパイラル状線条材を受け止めて一時的に保留し、その間にキャリヤを切り換えセツトして線条材の連続的な繰り返し巻取を可能にすることができる。
また、線条材引寄手段の回動及び引き寄せによつてスパイラル状線条材の線条材を切断刃の間に配置して、線条材を正確に円滑に切断して切断性能をさらに高めてることができる。
【０００７】
さらに、前記の静止落下型線条材巻取機において、アキユームレータの下方に配置した計量器と、計量器上にキャリヤを搬出入してセツトする台車とを具備したことに特徴を有している。
これによれば、計量器上に台車を配置してキャリヤを容易、敏速に切り換えセツト可能とし、計量器によるキャリヤのセツト信号、満巻信号の出力により巻取機の駆動制御を容易にするなど、総合的に、線条材の巻取性能、信頼性を高めるとともに大幅な自動化、省力化を可能にしている。
【０００８】
【発明の実施の形態】
図１に本発明の一実施例の全体的な機構図、図２に繰込機構と成型装置及び駆動制御手段、図３に回動式切断装置、図４にキヤリヤの計量器と台車及びキヤリヤの搬入・出路を示している。図中ａは線条材（各種の鋼線や合成樹脂線、それらの撚合線等）、ａ１〜ａ７は線条材経路、１は線条材の繰込機構、１０は円盤状ブロック１２や回転ガイド機構１５ａ〜１８等からなり線条材ａを落下するスパイラル状線条材とする成形装置、２０は開閉して落下Ｙするスパイラル状線条材の落下を許容し切断時に受け取つて一時的に貯留するアキユームレータ、３０はアキユームレータ上で受け取られているスパイラル状線条材の線条材経路ａ７の外側に配置した回動式切断装置、５０は円盤状ブロックの下方にキャリヤを切り換えセツトする台車、６０はスパイラル状線条材の下方に配置した計量器、５１はキャリヤ、７０は駆動制御手段、８０は台車の搬入・出路、Ｘは回転ガイド機構１５ａ〜１８の回転、Ｘ１は回動式切断装置の回動、Ｙは落下である。
【０００９】
図示の実施例は、円盤状ブロック１２と回動ガイド機構１５ａ〜１８により線条材ａを落下Ｙするスパイラル状線条材として放出し下方のキャリヤ５１に巻き取る静止落下型線条材巻取機において、円盤状ブロック１２の下側に間隔をおき配置して開閉し巻取時はスパイラル状線条材の落下Ｙを許容し切断時に新たに放出されるスパイラル状線条材を受け止めて一時的に保留するアキユームレータ２０を設けるとともに、閉位置のアキユームレータ上に受け止められているスパイラル状線条材に向けて回動Ｘ１し線条材を切断する回動式切断装置３０を設けた静止落下型線条材巻取機に特徴を有する。
【００１０】
また、前記の静止落下型線条材巻取機において、回動式切断装置３０は、閉位置の巻取アキユームレータ２０上に受け止められているスパイラル状線条材に対し外側から内側に回動Ｘ１しかつ線条材ａを引き寄せて切断刃３６ｂ，ｃの間に配置する線条材引寄手段３５と、線条材引寄手段とともに回動Ｘ１し引き寄せられたスパイラル状線条材の線条材ａを切断する開閉式切断手段３６とを具備したことを特徴とする静止落下型線条材巻取機になつている。
【００１１】
さらに、前記の静止落下型線条材巻取機において、アキユームレータ２０の下方に配置した計量器６０と、計量器上にキャリヤ５１を搬出入してセツトする台車５０とを具備したことを特徴とする静止落下型線条材巻取機になつている。
【００１２】
さらに詳述すると、本発明の静止落下型線条材巻取機は、各種の加工を施して連続的に送り出される線条材ａ（各種の鋼線や合成樹脂線、これらの撚合線を含む）を連続的に繰り込む繰込機構１、線条材を落下Ｙするスパイラル状線条材として放出する成形装置１０、開閉して巻取時はスパイラル状線条材の落下Ｙを許容し切断後に受け取つて一時的に保留するアキユームレータ２０、アキユームレータ上のスパイラル状線条材に向かつて回動Ｘ１しその線条材を引き寄せて切断する回動式切断装置３０、キャリヤ５１をスパイラル状線条材１ａの下方にセツトする台車５０、また、計量器６０及び駆動制御手段７０等、キャリヤの搬入・出路８０等を具備している。
【００１３】
繰込機構１は、図１及び図２に示すように線条材ａのガイドロール２と、複数の回転ロールで構成して矢示方向に旋回駆動される整形ロール群３等を備えており、加工機（図示省略）等から連続的に送り出される線条材ａを、線条材経路ａ１に方向転換し直線状に整形して成形装置１０に繰り込む構造になつている。
【００１４】
成形装置１０は、図１及び図２に示すように繰込機構１の下側に配置した線条材ａの挿通穴付きガイド筒１１と、その周囲に定置した上側環状溝１３，下側環状溝１４付き円盤状ブロック１２を備え、さらに、ガイド筒１１の下側に配置したターンロール１５ａ、円盤状ブロツクの周囲に適度の周間隔をおき配置したターンロール１５ｂ，１５ｃや押えロール１６ａ〜１６ｄ、放出ロール１６ｅ、湾曲ならしロール群１７、１点鎖線で示すフレーム１８等からなり、適宜の回転連動機構１８ａで回動Ｘされる回動ガイド機構１５ａ〜１８等を付設した構造になつている。繰込機構１から繰り込まれる線条材ａは、ガイド筒１１−ターンロール１５ａ−１５ｂを経て円盤状ブロツク１２の上側環状溝１３に送り込まれ（線条材経路ａ２−ａ３）、湾曲ならしロー群１７−ターンロール１５ｃを経て回転ブロツク１２の下側環状溝１４に送り込まれた後（線条材経路ａ４−ａ５）、押えロール１６ｄ−放出ロール１６ｅで円盤状ブロツク１２の下側に放出されて落下Ｙするスパイラル状線条材になる。押えロール１６ａと１６ｂは、回動Ｘして円盤状ブロツク１２の上側環状溝１３に線条材ａを順次に嵌合する始端側と終端側の押え用として機能し、押えロール１６ｃと１６ｄ及び放出ロール１６ｅは、回動Ｘして下側環状溝１４に線条材を順次に嵌合させる始端側と終端側の押え及び放出用として機能し、円盤状ブロツク１２によつて線条材ａを適宜の円径とし下側に放出し格別に回転しないで落下Ｙするスパイラル状線条材とする。湾曲ならしロール群１７は回動Ｘして中間の線条材経路ａ４で線条材ａの湾曲形状をならして精度を高めるなど、スパイラル状線条材の形成性能、信頼性を高める。図示の円盤状ブロツク１２は、上側環状溝１３及び下側環状溝１４を設けて線条材のガイド機能を高めているが、この上側環状溝及び下側環状溝を設けないで、回動ガイド機構１５ａ〜１８等のみで線条材ａを円盤状ブロツク１２の周面に巻き込みガイドする構造にすることもできる。
【００１５】
図２Ｂに示す減速器１９ａ付きモーター１９は、繰込機構１及び成形装置１０を駆動するモーターであり、適宜の連動機構３ａを介して整形ロール群３を旋回し、連動機構１８ａを介し回動ガイド機構１５ａ〜１８をそれぞれ個別に駆動制御する構造になつている。各連動機構は公知や周知手段で実施される。
【００１６】
アキユームレータ２０は、図１に示すように基端部を支軸２１で起伏可能に配置して間隔をおき対設したコ字状のアキユームレータ本体２２と、支軸２１にアーム等２１ａを介して連設したエアシリンダー２３、及び一方のアキユームレータ本体２２の中間部上に突設した停止部材２４等からなり、通常はエアシリンダーの短縮によりアーム等２１ａ及び支軸２１を介し両アキユームレータ本体２２の前部を矢示Ｚのように下方に下降して倒れた開位置とし、スパイラル状線条材の落下Ｙを許容してキャリヤ５１に巻き取る巻取パターンになり、キャリヤが満巻になるとエアシリンダーが伸長して両アキユームレータ本体２２の前部を矢示のように上昇して水平とした閉位置（図示実線）となり、落下Ｙするスパイラル状線条材を一時的に受け止める保留パターンになつて、アキユームレータ本体２２上に受け止められているスパイラル状線条材の線条材を回動式切断装置３０で切断し、新たに放出されて落下Ｙするスパイラル状線条材を受け止めて一時的に保留する構造になつている。又は。図示の実施例はエアシリンダ２３に代えてギャドモーター等で起伏させて開閉する構造にすることもできる。
【００１７】
回動式切断装置３０は、図１及び図３に示すように本体フレーム３１、本体フレームに装着したモーター３２と連動機構３３ａ及び回転軸３３ｂで回動Ｘ１される回動板３３と、回動板上に並設した線条材引寄手段３５及び開閉式切断手段３６とを備えている。線条材引寄手段３５は、回動板上に軸支したフレーム３５ａで支持してエアシリンダー３５ｂで起伏可能に配置したエアシリンダー３５ｃと、エアシリンダーのロツド３５ｄの先端部に固設した磁石３５ｆ付き操作プレート３５ｅ等からなり、回動板３３で回動Ｘ１されて操作プレート３５ｅ側がアキユームレータ２０上のスパイラル状線条材の外側から内側に向けて回動し、必要に応じエアシリンダー３５ｂで操作プレート３５ｅを少し下降させて、エアシリンダー３５ｃを短縮して操作プレート３５ｅでスパイラル状線条材を引き寄せ回動式切断手段３６の切断刃３６ｂ，３６ｃ間に配置し（１点鎖線）、線条材の切断後に逆移動してスパイラル状線条材の外側に退避する構造になつている。
【００１８】
開閉式切断手段３６は、回動板３３上に軸支３６ａした１対の切断刃３６ｂ，３６ｃと、フレーム３６ｄに軸支してリンク部３６ｅを介し一方の切断刃３６ｃに連設した作動用のエアシリンダー３６ｆ等からなり、アキユームレータ２０上のスパイラル状線条材の外側に配置し、回動板３３で線条材引寄手段３５とともに回動Ｘ１されてスパイラル状線条材の外側に配置されて、線条材引寄手段３５でスパイラル状線条材の線条材が切断刃３６ｂ，３６ｃの間に配置されると、エアシリンダー３６ｆで切断刃３６ｂ，３６ｃを駆動してその線条材ａを切断した後、逆作動して原状に復帰する構造になつている。
【００１９】
台車５０は、好ましくは図１及び図５に示すように車輪５３付き台車本体５２と、台車本体上に回転軸５４で回転可能に設けた回転盤５５と、台車本体上に設けて適宜の連動機構（図示省略）を介し回転盤を回転するモーター５６と、回転盤上に一端部を軸支し他端部を適宜の傾斜調節手段５７ａ（ボルト・ナットやスペーサ等）で傾斜調節可能に配置したキャリヤ支持盤５７等を有し、これらの回転駆動機構５４〜５７を備えた構造になつている。キャリヤ支持盤５７上にキャリヤ５１を適宜の着脱手段５８で装着し、傾斜調節手段５７ａでキャリヤ５１を適宜に傾斜αさせてセツトし、台車５０を搬入路８０ａからレール６１付きの計量器６０上に搬入して、モーター５６でキャリヤ５１を傾斜α状態で振れ回転Ｚすることにより、落下Ｙするスパイラル状線状材の絡み等を解消して円滑にキャリヤ５１に巻き取り、従ってまた、キャリヤの線状材を円滑に取り出すことができる。キャリヤ５１が満巻になると、例えば搬出路８０ｂに搬出し、新たなキャリヤを予めセツトした待機中の台車５０を搬入路８０ａから計量器６０上に切り替え配置して、アキユームレータ２０によるスパイラル状線条材ａの一時貯留中に、キャリヤの切り替え操作が敏速に行われる。図４に示す搬入・出路８０は、図示例に限ることなく多様な構造にすることができる。
【００２０】
駆動制御手段７０は、図示のように台車の計量器６０を設けた場合の態様と、図１に示すようにターンロール１５ｂの軸部に回転計１５ｄを設けた場合の態様とに大別される。台車の計量器６０を設けた場合は、図２Ｂに示すように予め線条材ａの線速等の各種のデータ７２が入力されるコントローラー７１を有し、このコントローラーは、計量器６０からキャリヤ５１のセツト信号６０ａ又は満巻信号６０ｂが入力されると、制御信号７１ａ〜７１ｃ等を適宜のタイムラグで各制御回路により出力する。即ち、キャリヤ５１のセツト信号６０ａに基づき制御信号７１ａを出力してモーター１９を駆動し、繰込装置１の整形ロール群３を旋回し、成形装置１０の回動ガイド機構１５ａ〜１８を回動Ｘして、線条材ａを繰り込み整形して放出し落下Ｙするスパイラル状線条材ａとして落下せしめ（アキユームレータ２０は倒れた開位置、回動式切断装置３０はスパイラル状線条材の外側に退避）、下方にセツトしたキャリヤ５１で受け取る巻取態様となる。
【００２１】
次に、コントローラー７１はキャリヤ５１の満巻信号６０ｂに基づき制御信号７１ｂ及び７１ｃを出力して、アキユームレータ２０のエアシリンダー２１を伸長して両支持枠２２を水平に起して閉位置とし（図示参照）、落下Ｙするスパイラル状線条材を受け止めて一時的に貯留し、さらに、回動式切断装置３０のエアシリンダー３５ｃ、３５ｂ及び３６ｆが作動されて、全体が回動Ｘ１されるとともに、線条材引寄手段３５でスパイラル状線条材の線条材を引き寄せて開閉式切断手段３６でその線条材を切断した後、逆作動してスパイラル状線条材の外側に退避し、この一時貯留中に新たなキャリヤをセツトした台車５０を計量器６０上に切り換え配置すると、再びそのセツト信号６０ａに基づきアキユームレータ２０が開位置に切り変えられ巻取作動が繰り返される制御機構になつている。
【００２２】
また、回転計１５ｄを設けた場合の態様は、成形装置１０をスイッチオンすると、そのターンロール１５ｂの回転を回転計１５ｄで検出して、その検出信号１５ｅをコントローラー７１に入力し、コントローラー７１は、その検出信号１５ｅ及び予め入力されている線条材ａの線速等の各種のデータ７２に基づき前記と同様な制御信号を出力して、キャリヤ５１が満巻きになるとアキユームレータ２０や回動式切断装置３０を前記と同様に制御する機構になつている。
【００２３】
図示の静止落下型線条材巻取機は、前記のような構造になつており線条材ａを繰込機構１と成型装置１０に通線し、キャリヤ５１をセツトした台車５０を計量器６０上に配置してスイツチオンすると、先ず、計量器６０によるセツト信号６０ａに基づきコントローラー７１から制御信号７１ａが出力され、繰込機構１の整形ロール群３が旋回し、成型装置１０の回転ガイド機構１５ａ〜１８が回動Ｘし、線条材ａは、繰込機構１で線条材経路ａ１に方向転換されて整形された後、成型装置１０の回転ガイド機構１５ａ〜１８及び円盤状ブロツク１２によつて、繰り込まれた線条材ａを湾曲整形し下側に放出して落下Ｙするスパイラル状線条材として（アキユームレータ２０は開位置）、下方にセツトされたキヤリヤ５１に受け取つて巻き取る。
【００２４】
次に、そのキヤリヤ５１がほぼ満巻になると、計量器６０の計量による満巻信号６０ｂに基づきコントローラー７１は制御信号７１ｂと７１ｃを出力し、アキユームレータ２０が閉位置となり（図示参照）、落下Ｙするスパイラル状線条材を受け止めて一時的に貯留する態様となり、回動式切断装置３０の線条材引寄手段３５で受け止められているスパイラル状線条材の線条材ａを引き寄せて開閉式切断手段３６でその線条材を円滑に切断して原状に復帰し、新たに放出されるスパイラル状線条材の一時貯留が継続されて巻き取りが停止される。
【００２５】
前記の新たなスパイラル状線条材ａの一時的な貯留中に、満巻のキャリヤ５１が台車５０で搬出され、新たなキャリヤをセツトした台車５０を計量器６０上に容易、敏速に切り替え配置すると、再びそのセツト信号６０ａが出力されてアキユームレータ２０が開位置に復帰するとともに、コントローラー７１が制御信号７１ａ〜７１ｃを繰り返し出力して巻取作動が繰り返え再開されるなど、巻取機を格別に停止しないで巻取が継続して繰り返され能率良く遂行される。
【００２６】
実施例の静止落下型線条材巻取機は、前記のようにアキユームレータ２０の開位置によるスパイラル状線条材の落下Ｙの許容、キャリヤ満巻時にアキユームレータ２０の閉位置への切り替えによるスパイラル状線条材の一時貯留、及び回動式切断装置３０の両回転刃３６ｂと３６ｃによるスパイラル状線条材１ａの円滑な切断によつて、キャリヤ５１の切り替えセツトを容易とし、巻取機を停止しないで継続的な巻取を円滑に遂行可能とし巻取能率等を高めている。また、回動式切断装置の線条材引寄手段３５の回動Ｘ１と引き寄せ及び開閉式切断手段３６の回動Ｘ１によつて、スパイラル状線条材１ａの放出位置が変化しても格別に支障を生じないでスパイラル状線条材を円滑に切断可能にしている。さらに、アキユームレータ２０の下方に配置した計量器６０と、計量器上にキャリヤ５１を搬出入してセツトする台車５０によつて、切断後に新たに放出されるスパイラル状線条材の一時貯留中に、新たなキャリヤを敏速に搬出入してセツトでき、再び計量器６０によるキャリヤのセツト信号６０ａを出力して、巻取機を格別に停止しないで継続的に巻き取りが繰り返えされる。また、回転計１５ｄを設けた場合でもアキユームレータ２０及び回動式切断装置３０が同様に制御されるなど、総合的に線条材の巻取性能、信頼性を高めるとともに大幅な自動化、省力化を可能にしている。
【００２７】
回転計１５ｄを設けた場合は、コントローラー７１は、回転計１５ｄの検出信号１５ｅ及び予め入力されている線条材ａの線速等の各種のデータ７２に基づき満巻時に同様な制御信号の出力が可能であり、キャリヤ５１が満巻きになるとアキユームレータ２０や回動式切断装置３０を前記と同様に制御して、基本的に前記と同様な作用、効果が得られる。
【００２８】
【発明の効果】
本発明の請求項１によれば、円盤状ブロックと回動ガイド機構により線条材を落下するスパイラル状線条材として下方のキャリヤに巻き取る静止落下型線条材巻取機において、アキユームレータの開位置による落下するスパイラル状線条材の落下許容、キャリヤ満巻時に回動式切断装置の回動によるスパイラル状線条材の円滑な切断、アキユームレータの閉位置への切り替えによるスパイラル状線条材の受け止め一時貯留中に、キャリヤの切り替えセツトを容易とし、巻取機を停止しないで継続的な巻取の繰り返しを円滑に可能とするなど、切断性能、信頼性とともに巻き取り能率等を高めている。
しかも、回動式切断装置の線条材引寄手段の回動と引き寄せ及び開閉式切断手段の回動によって、スパイラル状線条材の放出位置が変化に対応してスパイラル状線条材を正確に円滑に切断することができる。
【００２９】
請求項２によれば、さらに、アキユームレータの下方に配置した計量器、計量器上にキャリヤを搬出入してセツトする台車によつて、切断後に新たに放出されるスパイラル状線条材の一時貯留中に、新たなキャリヤを敏速に搬出入してセツトでき、再び計量器によるキャリヤのセツト信号及び満巻信号の出力を可能とし、巻取機を格別に停止しないで継続的に巻き取りが繰り返えされ、総合的に、線条材の巻取性能、信頼性を著しく向上するとともに大幅な自動化、省力化を可能にしている。
【図面の簡単な説明】
【図１】本発明の一実施例を示す全体的な斜視機構図
【図２】成型装置部分の平面図（Ａ）及び繰込機構と成型装置部分と駆動制御手段の側視図（Ｂ）
【図３】回動式切断装置の平面図（Ａ）と線条材引寄手段の側視図（Ｂ）及び開閉式切断手段の側視図（ｃ）
【図４】計測器と台車の側視図（Ａ）及び搬入・出路の平面図（Ｂ）である。
【符号の説明】
ａ      線条材
１２    円盤状ブロック
１５ａ〜１８  回転ガイド機構
２０    アキユームレータ
３０    回動式切断装置
３５    線条材配置手段
３６    開閉式切断手段
３６ｂ，３６ｃ  切断刃
５０    台車
５１    キャリヤ
【図１】
0003829010.tif 000002
【図２】
0003829010.tif 000003
【図３】
0003829010.tif 000004
【図４】
0003829010.tif 000005